(57)【要約】【課題】監視対象装置を監視してその電源断あるいはその要因をネットワークに接続された監視手段に通知する際に、特別の予備電源を装置内に用意する必要のない電源断対処システムおよび電源断対処方法を得ること。【解決手段】電源断検出手段１１が監視対象装置内での電源断を検出すると、電源監視手段１３は信号・電源兼用ケーブル１５を用いて監視手段１２にこれを通知する。これと共に監視手段側電源１４が信号・電源兼用ケーブル１５を通じて監視対象装置に供給される。【選択図】図１
2011060189.tif 000002
【特許請求の範囲】
【請求項１】
電源の監視の対象となる監視対象装置内で使用される電源について断を検出する電源断検出手段と、
前記監視対象装置内の電源を前記電源断検出手段の検出結果を受信することで監視する監視手段と、
前記電源断検出手段が電源断を検出したときこれを前記監視手段に通知するための電源断信号を出力する電源監視手段と、
前記監視手段側に配置された監視手段側電源と、
前記電源監視手段と前記監視手段の間を結び、前記電源断信号を前記監視手段に送出すると共に前記監視手段側電源を前記監視対象装置に供給する信号・電源兼用ケーブル
とを具備することを特徴とする電源断対処システム。
【請求項２】
電源の監視の対象となる監視対象装置内で使用される電源について断を検出する電源断検出手段と、
前記監視対象装置内の電源を前記電源断検出手段の検出結果を受信することで監視する監視手段と、
前記電源断検出手段が電源断を検出したときこれを前記監視手段に通知するための電源断信号を出力する電源監視手段と、
前記監視手段側に配置された監視手段側電源と、
前記電源監視手段と前記監視手段の間を結び、前記電源断信号を前記監視手段に送出すると共に前記電源断検出手段が電源の断を検出したとき前記監視手段側電源を前記監視対象装置の断となった電源に代わって供給する信号・電源兼用ケーブル
とを具備することを特徴とする電源断対処システム。
【請求項３】
電源の監視の対象となる監視対象装置内に配置され、所定のデータ処理を行うデータ処理部と、
このデータ処理部に供給される電源について断を検出する電源断検出手段と、
前記監視対象装置内の電源を前記電源断検出手段の検出結果を受信することで監視する監視手段と、
前記電源断検出手段が電源断を検出したときこれを前記監視手段に通知するための電源断信号を出力する電源監視手段と、
前記監視手段側に配置された監視手段側電源と、
前記データ処理部と前記監視手段の間を結び、前記電源断信号を前記監視手段に送出すると共に前記電源断検出手段が前記データ処理部に供給される電源の断を検出したとき前記監視手段側電源を前記データ処理部の断となった電源に代わって供給する信号・電源兼用ケーブル
とを具備することを特徴とする電源断対処システム。
【請求項４】
前記監視手段と前記監視対象装置は、仲介装置によって接続されており、この仲介装置は前記監視手段側電源を内蔵しており、前記仲介装置と前記監視対象装置の間にはＩＥＥＥ（Institute of Electrical and Electronic Engineers）８０２.３ａｆ規格に基づいた前記信号・電源兼用ケーブルが配置されていることを特徴とする請求項１または請求項２記載の電源断対処システム。
【請求項５】
前記仲介装置は、ルータ装置であることを特徴とする請求項４記載の電源断対処システム。
【請求項６】
電源の監視の対象となる監視対象装置内での電源断の発生を検出する電源断検出ステップと、
この電源断検出ステップで電源断が検出されたときこの検出結果をＩＥＥＥ（Institute of Electrical and Electronic Engineers）８０２.３ａｆ規格に基づいた信号・電源兼用ケーブルにおける信号伝送用のラインを使用して所定の電源監視手段に送出する電源断通知ステップと、
この電源断通知ステップで電源断を通知する時点に前記信号・電源兼用ケーブルを介して他の電源から前記監視対象装置に対する断となった電源に代わって給電を開始する給電開始ステップ
とを具備することを特徴とする電源断対処方法。
【請求項７】
電源の監視の対象となる監視対象装置内における所定のデータ処理を行うデータ処理部の電源断の発生を検出する電源断検出ステップと、
この電源断検出ステップで電源断が検出されたとき、ＩＥＥＥ（Institute of Electrical and Electronic Engineers）８０２.３ａｆ規格に基づいた信号・電源兼用ケーブルを用いて他の電源から前記データ処理部の断となった電源に代わって給電を開始する給電開始ステップ
とを具備することを特徴とする電源断対処方法。
【発明の詳細な説明】
【技術分野】
【０００１】
本発明は、監視の対象とする装置の電源が断になったときに、適切な対処を可能にする電源断対処システムおよび電源断対処方法に関する。
【背景技術】
【０００２】
たとえば遠隔地に重要な装置が配置されているとする。この装置の電源が何らかの原因によって断になった場合には、監視装置がこの通知を受けて迅速な復旧を行う必要がある。
【０００３】
図１１は、本発明に関連する第１の関連技術としての電源断対処システムの一例を示したものである。この電源断対処システム１００では、監視の対象となる監視対象装置１０１と監視を行う側の監視装置１０２の間が比較的離れている。そこで、監視対象装置１０１は監視装置１０２との間に存在する監視用ルータ装置１０３を経由して、監視装置１０２に電源断の通知を行う。
【０００４】
このような通知を可能にするために、監視対象装置１０１内には、この監視対象装置１０１内の各所に電源を供給する装置電源供給部１１１と、この装置１０１内の電源の断等の電源の異常を検出する電源監視部１１２と、監視用ポート１１３が設けられている。この監視用ポート１１３と、監視用ルータ装置１０３内に設けられた監視用ポート１２１の間には、監視用ケーブル１２２として、イーサネット（登録商標）ケーブルが接続されている。
【０００５】
この電源断対処システム１００で監視用ルータ装置１０３は、監視対象装置１０１と監視装置１０２の間でデータを転送する機能を備えている。電源監視部１１２は、監視対象装置１０１の内部で装置電源供給部１１１が各部に供給する複数系統の電源の監視を行っている。ここで、複数系統の電源とは、たとえば−４８ボルト、−５ボルトおよび−３．３ボルトといった幾つかの種類の電源をいう。電源監視部１１２は、装置電源供給部１１１からこれらの電源が正常に供給されているかをチェックする。そして、いずれかの電源の出力に障害が発生すると、電源監視部１１２はその障害の内容を特定する。そして、たとえば−４８ボルトの電源に障害が発生したような場合には、その障害内容を表わしたパケット信号を作成して、監視用ルータ装置１０３を介して監視装置１０２に送出する。ここで障害内容とは、たとえば、光入力断とかリンクダウンの通知警告を基にして、最終的に監視対象装置１０１の該当する電源が断になるような障害をいう。
【０００６】
この電源断対処システム１００では、監視対象装置１０１がその内部で使用する電源の供給を装置電源供給部１１１のみに頼っている。このため、装置電源供給部１１１が何らかの障害で電源を出力できない事態になると、電源監視部１１２が動作しなくなる。この結果として、電源監視部１１２から監視装置１０２へ装置電源供給部１１１の電源が断となったことの通知を行うことができなくなる。また、装置電源供給部１１１の一部の電源の供給が断になった場合でも、その断となった電源で電源監視部１１２が動作していたような場合には、同様に電源断の要因を電源監視部１１２から監視装置１０２へ通知することができなくなる。
【０００７】
そこで、監視対象装置１０１内に予備電源を用意することが本発明の第２の関連技術として提案されている（たとえば特許文献１参照）。この第２の関連技術で、電源電圧変換回路は、ユニット内電源断信号を受信すると、予備電源を入力して電圧を変換して、監視動作を再開するようにしている。
【先行技術文献】
【特許文献】
【０００８】
【特許文献１】特開２００４−２１３５５２号公報（第００４８段落、第００４９段落、図１）
【発明の概要】
【発明が解決しようとする課題】
【０００９】
しかしながら、第２の関連技術では、監視対象装置が通常使用する通常電源以外に予備電源を用意する必要がある。予備電源を用意することは装置のコスト増に繋がるだけでなく、普段使用しない電源であるために、必要時に正常に動作するための保守管理が必要となる。たとえば、電池を予備電源に使用する場合には、電源断が発生したときに十分な容量の電源として使用できることを常にチェックしておくことが必要となる。
【００１０】
そこで本発明の目的は、監視対象装置を監視してその電源断あるいはその要因をネットワークに接続された監視手段に通知する際に、特別の予備電源を装置内に用意する必要のない電源断対処システムおよび電源断対処方法を提供することにある。
【課題を解決するための手段】
【００１１】
本発明では、（イ）電源の監視の対象となる監視対象装置内で使用される電源について断を検出する電源断検出手段と、（ロ）前記した監視対象装置内の電源を前記した電源断検出手段の検出結果を受信することで監視する監視手段と、（ハ）前記した電源断検出手段が電源断を検出したときこれを前記した監視手段に通知するための電源断信号を出力する電源監視手段と、（ニ）前記した監視手段側に配置された監視手段側電源と、（ホ）前記した電源監視手段と前記した監視手段の間を結び、前記した電源断信号を前記した監視手段に送出すると共に前記した監視手段側電源を前記した監視対象装置に供給する信号・電源兼用ケーブルとを電源断対処システムが具備する。
【００１２】
また、本発明では、（イ）電源の監視の対象となる監視対象装置内で使用される電源について断を検出する電源断検出手段と、（ロ）前記した監視対象装置内の電源を前記した電源断検出手段の検出結果を受信することで監視する監視手段と、（ハ）前記した電源断検出手段が電源断を検出したときこれを前記した監視手段に通知するための電源断信号を出力する電源監視手段と、（ニ）前記した監視手段側に配置された監視手段側電源と、（ホ）前記した電源監視手段と前記した監視手段の間を結び、前記した電源断信号を前記した監視手段に送出すると共に前記した電源断検出手段が電源の断を検出したとき前記した監視手段側電源を前記した監視対象装置の断となった電源に代わって供給する信号・電源兼用ケーブルとを電源断対処システムが具備する。
【００１３】
更に本発明では、（イ）電源の監視の対象となる監視対象装置内に配置され、所定のデータ処理を行うデータ処理部と、（ロ）このデータ処理部に供給される電源について断を検出する電源断検出手段と、（ハ）前記した監視対象装置内の電源を前記した電源断検出手段の検出結果を受信することで監視する監視手段と、（ニ）前記した電源断検出手段が電源断を検出したときこれを前記した監視手段に通知するための電源断信号を出力する電源監視手段と、（ホ）前記した監視手段側に配置された監視手段側電源と、（へ）前記したデータ処理部と前記した監視手段の間を結び、前記した電源断信号を前記した監視手段に送出すると共に前記した電源断検出手段が前記したデータ処理部に供給される電源の断を検出したとき前記した監視手段側電源を前記したデータ処理部の断となった電源に代わって供給する信号・電源兼用ケーブルとを電源断対処システムが具備する。
【００１４】
更にまた、本発明では、（イ）電源の監視の対象となる監視対象装置内での電源断の発生を検出する電源断検出ステップと、（ロ）この電源断検出ステップで電源断が検出されたときこの検出結果をＩＥＥＥ（Institute of Electrical and Electronic Engineers）８０２.３ａｆ規格に基づいた信号・電源兼用ケーブルにおける信号伝送用のラインを使用して所定の電源監視手段に送出する電源断通知ステップと、（ハ）この電源断通知ステップで電源断を通知する時点に前記した信号・電源兼用ケーブルを介して他の電源から前記した監視対象装置に対する断となった電源に代わって給電を開始する給電開始ステップとを電源断対処方法が具備する。
【００１５】
また、本発明では、（イ）電源の監視の対象となる監視対象装置内における所定のデータ処理を行うデータ処理部の電源断の発生を検出する電源断検出ステップと、（ロ）この電源断検出ステップで電源断が検出されたとき、ＩＥＥＥ（Institute of Electrical and Electronic Engineers）８０２.３ａｆ規格に基づいた信号・電源兼用ケーブルを用いて他の電源から前記したデータ処理部の断となった電源に代わって給電を開始する給電開始ステップとを電源断対処方法が具備する。
【発明の効果】
【００１６】
以上説明したように本発明によれば、監視対象装置と監視手段を結ぶネットワーク自体から給電を行うようにした。このため監視対象装置側では電源断を監視する際に必要とする予備電源を装置内に用意する必要がなく、装置の小型化やコストダウンを図ることができる。また、監視対象装置自体の電力消費が比較的少ない場合には、常時、監視対象装置を動作させる電源自体もネットワークから給電することが可能になる。
【図面の簡単な説明】
【００１７】
【図１】本発明の電源断対処システムのクレーム対応図である。
【図２】本発明の他の電源断対処システムのクレーム対応図である。
【図３】本発明の更に他の電源断対処システムのクレーム対応図である。
【図４】本発明の電源断対処方法のクレーム対応図である。
【図５】本発明の他の電源断対処方法のクレーム対応図である。
【図６】本発明の第１の実施の形態による電源断対処システムの概要を表わしたシステム構成図である。
【図７】第１の実施の形態の第１の変形例における監視対象装置のブロック図である。
【図８】第１の実施の形態の第２の変形例における監視対象装置のブロック図である。
【図９】本発明の第２の実施の形態における監視対象装置の概要を表わしたブロック図である。
【図１０】第２の実施の形態における信号機能部への電源供給経路の切り替え原理を示した原理図である。
【図１１】本発明に関連する関連技術としての電源断対処システムの一例を示したシステム構成図である。
【発明を実施するための形態】
【００１８】
図１は、本発明の電源断対処システムのクレーム対応図を示したものである。本発明の電源断対処システム１０は、電源断検出手段１１と、監視手段１２と、電源監視手段１３と、監視手段側電源１４と、信号・電源兼用ケーブル１５を備えている。ここで、電源断検出手段１１は、電源の監視の対象となる監視対象装置内で使用される電源について断を検出する。監視手段１２は、監視対象装置内の電源を電源断検出手段１１の検出結果を受信することで監視する。電源監視手段１３は、電源断検出手段１１が電源断を検出したときこれを監視手段１２に通知するための電源断信号を出力する。監視手段側電源１４は、監視手段１２側に配置されている。信号・電源兼用ケーブル１５は、電源監視手段１３と監視手段１２の間を結び、前記した電源断信号を監視手段１２に送出すると共に監視手段側電源１４を前記した監視対象装置に供給する。
【００１９】
図２は、本発明の他の電源断対処システムのクレーム対応図を示したものである。本発明の電源断対処システム２０は、電源断検出手段２１と、監視手段２２と、電源監視手段２３と、監視手段側電源２４と、信号・電源兼用ケーブル２５を備えている。ここで、電源断検出手段２１は、電源の監視の対象となる監視対象装置内で使用される電源について断を検出する。監視手段２２は、監視対象装置内の電源を電源断検出手段２１の検出結果を受信することで監視する。電源監視手段２３は、電源断検出手段２１が電源断を検出したときこれを監視手段２２に通知するための電源断信号を出力する。監視手段側電源２４は、監視手段２２側に配置されている。信号・電源兼用ケーブル２５は、電源監視手段２３と監視手段２２の間を結び、前記した電源断信号を監視手段２２に送出すると共に電源断検出手段２１が電源の断を検出したとき監視手段側電源２４を前記した監視対象装置の断となった電源に代わって供給する。
【００２０】
図３は、本発明の更に他の電源断対処システムのクレーム対応図を示したものである。本発明の電源断対処システム３０は、データ処理部３１と、電源断検出手段３２と、監視手段３３と、電源監視手段３４と、監視手段側電源３５と、信号・電源兼用ケーブル３６を備えている。ここで、データ処理部３１は、電源の監視の対象となる監視対象装置内に配置され、所定のデータ処理を行う。電源断検出手段３２は、このデータ処理部３１に供給される電源について断を検出する。監視手段３３は、監視対象装置内の電源を電源断検出手段３２の検出結果を受信することで監視する。電源監視手段３４は、電源断検出手段３２が電源断を検出したときこれを監視手段３３に通知するための電源断信号を出力する。監視手段側電源３５は、監視手段３３側に配置されている。信号・電源兼用ケーブル３６は、データ処理部３１と監視手段３３の間を結び、電源断信号を監視手段３３に送出すると共に電源断検出手段３２がデータ処理部３１に供給される電源の断を検出したとき監視手段側電源３５をデータ処理部３１の断となった電源に代わって供給する。
【００２１】
図４は、本発明の電源断対処方法のクレーム対応図を示したものである。本発明の電源断対処方法４０は、電源断検出ステップ４１と、電源断通知ステップ４２と、給電開始ステップ４３を備えている。ここで、電源断検出ステップ４１では、電源の監視の対象となる監視対象装置内での電源断の発生を検出する。電源断通知ステップ４２では、この電源断検出ステップ４１で電源断が検出されたときこの検出結果をＩＥＥＥ（Institute of Electrical and Electronic Engineers）８０２.３ａｆ規格に基づいた信号・電源兼用ケーブルにおける信号伝送用のラインを使用して所定の電源監視手段に送出する。給電開始ステップ４３では、この電源断通知ステップ４２で電源断を通知する時点に前記した信号・電源兼用ケーブルを介して他の電源から前記した監視対象装置に対する断となった電源に代わって給電を開始する。
【００２２】
図５は、本発明の他の電源断対処方法のクレーム対応図を示したものである。本発明の電源断対処方法５０は、電源断検出ステップ５１と、給電開始ステップ５２を備えている。ここで、電源断検出ステップ５１では、電源の監視の対象となる監視対象装置内における所定のデータ処理を行うデータ処理部の電源断の発生を検出する。給電開始ステップ５２では、電源断検出ステップ５１で電源断が検出されたとき、ＩＥＥＥ（Institute of Electrical and Electronic Engineers）８０２.３ａｆ規格に基づいた信号・電源兼用ケーブルを用いて他の電源から前記したデータ処理部の断となった電源に代わって給電を開始する。
【００２３】
＜発明の第１の実施の形態＞
【００２４】
次に本発明の第１の実施の形態を説明する。
【００２５】
図６は、本発明の第１の実施の形態による電源断対処システムの概要を表わしたものである。この第１の実施の形態による電源断対処システム２００は、監視の対象となる監視対象装置２０１と監視装置２０２が距離的に離れて配置されており、その間にルータ装置２０３が配置されている。
【００２６】
ルータ装置２０３は、ＩＥＥＥ（Institute of Electrical and Electronic Engineers）８０２.３ａｆ-２００３規格に基づいたもので、ＬＡＮ（Local Area Network）ケーブル２１１の一端を通じて通信データと電力の双方を供給するようになっている。ルータ装置２０３側には、通信データと電力の供給用に監視用ポート２１２が備えられている。監視用ポート２１２は、イーサネット（登録商標）ポートである。
【００２７】
監視の対象となる監視対象装置２０１は、ＬＡＮケーブル２１１の他端と接続する監視用ポート２２１を備えている。監視用ポート２２１も、イーサネット（登録商標）ポートである。また、監視対象装置２０１内には、監視用ポート２２１に接続されたＬＡＮケーブル２１１から給電する装置電源供給部２２２と、電源の断についての監視を行う電源監視部２２３も配置されている。
【００２８】
装置電源供給部２２２は、ＬＡＮケーブル２１１の図示しない特定の１対の銅線から所定の電圧の電源の供給を受ける。この特定の１対の銅線は、専用の電力給電用の銅線であってもよいし、通信データを伝送するために用意された銅線が給電用に兼用されるものであってもよい。装置電源供給部２２２は、供給された電源を基にして、電圧の異なる複数系統の電源を作成する。これら複数系統の電源は、監視対象装置２０１の内部に配置された図示しない回路における該当する電圧で動作する部分にそれぞれ給電される。
【００２９】
電源監視部２２３は、これら複数系統の電源がそれぞれ対応する回路に給電されているかをチェックする。そして、たとえば装置電源供給部２２２が第１〜第３の電源を各部に給電し、このうちの第２の電源の給電に断が発生したとする。この場合、電源監視部２２３は、定期的に送出する監視フレームに、第２の電源の給電に断が発生したことを示すデータを格納する。そして、この監視フレームの宛先を監視装置２０２として、監視用ポート２２１からＬＡＮケーブル２１１に送出する。
【００３０】
ルータ装置２０３は、監視用ポート２１２から監視フレームを受信する。そして、ルータ装置２０３内に配置された図示しないルーティングテーブルを参照して、監視装置２０２の存在する経路にこの監視フレームを継続的に送出する。このようにして、監視装置２０２は監視対象装置２０１内における電源の監視を行う。
【００３１】
このような構成の電源断対処システム２００では、装置電源供給部２２２がＬＡＮケーブル２１１から給電された電源を使用して給電する。このため、図１１に示した装置電源供給部１１１と異なり、電池や非常電源設備等により監視対象装置２０１の内部で給電用の電力を特別に発生させる必要がない。
【００３２】
以上説明したように、本実施の形態の電源断対処システム２００は、従来、監視対象装置側で用意した電源を用いず、ルータ装置２０３からの給電でまかなうことができる。また、監視フレームにより監視対象装置２０１の監視結果が監視装置２０２に迅速に伝達されるので、要因の特定から復旧までの時間を短くすることができる。
【００３３】
なお、電源監視部２２３は、ルータ装置２０３から電源を供給される状況であるため、できるだけ電力消費を押さえる観点から電源断の監視を行うことにした。監視対象装置２０１全体の消費電力との関係でルータ装置２０３からの給電に余裕がある場合、電源監視部２２３は、電圧の低下等の電源断以外の電源の障害まで監視を行ってもよい。また、電源監視部２２３は、監視対象装置２０１内の各部の監視を行う「装置監視部」として機能するものであってもよい。次に説明する各種の変形例でも、この点は同様である。
【００３４】
＜第１の実施の形態の第１の変形例＞
【００３５】
図７は、第１の実施の形態の第１の変形例における監視対象装置の構成を表わしたものである。この図７で図６と同一部分には同一の符号を付しており、これらの説明を適宜省略する。図６と共に説明する。
【００３６】
第１の変形例の監視対象装置２０１Ａでは、装置内部あるいは外部に配置された通常電源３０１が装置電源供給部２２２Ａに電源を供給する。装置電源供給部２２２Ａは、通常電源３０１から供給された電源を基にして、監視対象装置２０１Ａの各部で必要とする電源を作成し、給電する。
【００３７】
監視用電源３０２は、図６に示したＬＡＮケーブル２１１から送られてくるルータ装置２０３側の電力を監視用ポート２２１経由で取得する。監視用電源３０２は、この電源を用いて電源監視部２２３Ａを作動させて、装置電源供給部２２２Ａの電源供給に断が発生するかを監視する。電源監視部２２３Ａは、電源断を検出するとこれを表わした監視フレームを作成する。監視フレームは、電源監視部２２３Ａから監視用ポート２２１を経てルータ装置２０３経由で監視装置２０２に送られる。監視装置２０２は監視フレームが送られてくるたびに、監視結果に対する対応を指示する応答フレームを送出するようにしてもよい。
【００３８】
この第１の変形例の監視対象装置２０１Ａでは、通常電源３０１が断になっても、監視用電源３０２がこれに影響されることなくルータ装置２０３から給電される。したがって、電源監視部２２３Ａは、装置電源供給部２２２Ａによる各種の電源断を監視し、監視装置２０２にその結果を通知することができる。
【００３９】
＜第１の実施の形態の第２の変形例＞
【００４０】
図８は、第１の実施の形態の第２の変形例における監視対象装置の構成を表わしたものである。この図８で図７と同一部分には同一の符号を付しており、これらの説明を適宜省略する。図６と共に説明する。
【００４１】
第２の変形例の監視対象装置２０１Ｂでは、装置内部あるいは外部に配置された通常電源３０１の出力側がスイッチ回路４０１の第１の切替接点４０２に接続されている。また、図７で示した監視用電源３０２の出力側がスイッチ回路４０１の第２の切替接点４０３に接続されている。コモン接点４０４に一端を接続された可動接片４０５の他端側は、電源監視部２２３Ｂが装置電源供給部２２２Ａによる電源供給に障害（断）の発生したことを検出信号４１１として出力しない限り、第１の切替接点４０２に接続されている。検出信号４１１が出力されると、スイッチ回路４０１はこれを入力して可動接片４０５の前記した他端側の接続先を第２の切替接点４０３に切り替える。
【００４２】
スイッチ回路４０１のコモン接点４０４は、装置電源供給部２２２Ａおよび電源監視部２２３Ｂに共通接続されている。したがって、第２の変形例の監視対象装置２０１Ｂでは、通常電源３０１の給電時に装置電源供給部２２２Ａを経た各部のいずれかで電源断が発生しない限り、装置電源供給部２２２Ａおよび電源監視部２２３Ｂは通常電源３０１の給電を受ける。
【００４３】
監視対象装置２０１Ｂの内部のいずれかで電源断が発生すると、電源監視部２２３Ｂはこれを検出して、図示しないラッチ回路が検出信号４１１を継続的に出力する。この検出信号４１１によってスイッチ回路４０１がその可動接片４０５を第２の切替接点４０３に切り替える。これ以後は、ルータ装置２０３から給電された監視用電源３０２が装置電源供給部２２２Ａおよび電源監視部２２３Ｂに電源を供給する。電源監視部２２３Ｂは、監視フレームを監視用ポート２２１ルータ装置２０３経由で監視装置２０２に送出する。
【００４４】
この第２の変形例の監視対象装置２０１Ｂでは、障害が復旧した後に、前記したラッチ回路のラッチを解除する。これにより、通常電源３０１が再び装置電源供給部２２２Ａおよび電源監視部２２３Ｂに供給されることになる。
【００４５】
この第２の変形例では、先の実施の形態と同様に、ルータ装置２０３が十分な容量の電源を供給することができれば、通常電源３０１に異常が発生しても、監視対象装置２０１Ｂ内の各部に監視用電源３０２から給電が可能である。したがって、通常電源３０１を原因とする電力断による障害を回避することができる。
【００４６】
＜発明の第２の実施の形態＞
【００４７】
図９は、本発明の第２の実施の形態における監視対象装置の構成を表わしたものである。この図９で図６と同一部分には同一の符号を付しており、これらの説明を適宜省略する。
【００４８】
第２の実施の形態の監視対象装置５０１は、信号処理を行う信号盤５１１と、この信号盤５１１に主として電源を供給する装置電源供給部５１２と、信号盤５１１の監視を行う監視盤５１３を備えている。信号盤５１１は、データが導通するための機能のみを持ち、監視機能を備えない信号機能部５２１と、装置電源供給部５１２の供給した電源の電圧を幾種類かに変換する電源変換部５２２と、電源の監視を行う電源監視部５２３を備えている。監視盤５１３は、その内部に監視盤電源５３１を備えている。ただし、この監視盤電源５３１は監視対象装置５０１内の他の箇所から給電してもよいし、図６に示したように監視対象装置２０１と接続される監視用ルータ装置２０３のような外部装置から給電してもよい。
【００４９】
信号盤５１１と監視盤５１３の間には、装置内監視用ケーブル５４１が接続されている。この装置内監視用ケーブル５４１は、図６に示したＬＡＮケーブル２１１と同様に、通信データと電力の双方を伝達できるようになっている。したがって、装置内監視用ケーブル５４１は、ＩＥＥＥ８０２.３ａｆ-２００３規格のイーサネット（登録商標）ケーブルで構成することができる。装置電源供給部５１２と電源変換部５２２の間には、装置電源供給ケーブル５４２が接続されている。装置電源供給ケーブル５４２は、電源を供給する専用のケーブルであってよい。
【００５０】
このような構成の監視対象装置５０１では、電源変換部５２２が装置電源供給ケーブル５４２によって装置電源供給部５１２の供給した電源を基にして、信号盤５１１が必要とする幾種類かの電源を電圧の変換によって作成する。これらの電源は、信号機能部５２１や電源監視部５２３を含む信号盤５１１の各部に供給される。電源監視部５２３は、装置電源供給部５１２から信号盤５１１に供給される電源の監視および電源変換部５２２の監視を行う。
【００５１】
図１０は、第２の実施の形態における信号機能部への電源供給経路の切り替え原理を説明するためのものである。図９と共に説明する。
【００５２】
図９には示していないが、信号盤５１１には経路切替スイッチ回路５５１が配置されている。この経路切替スイッチ回路５５１は、信号機能部５２１に供給する電源を電源監視部５２３の監視結果に応じて切り替えるようになっている。すなわち、信号機能部５２１の電源入力端子は経路切替スイッチ回路５５１のコモン接点５６１に接続されており、第１の切替接点５６２が装置内監視用ケーブル５４１（図９）を経由して、監視盤５１３内の監視盤電源５３１の電源出力端子に接続されている。また、第２の切替接点５６３は、電源変換部５２２における信号機能部５２１用の電源出力端子に接続されている。
【００５３】
電源監視部５２３は、信号盤５１１内で電源の異常を検出すると、異常検出信号５７１を経路切替スイッチ回路５５１に供給する。この異常検出信号５７１が経路切替スイッチ回路５５１に供給されていない正常な状態で、経路切替スイッチ回路５５１はその可動接片５６４を第２の切替接点５６３に接続している。この状態では、電源変換部５２２によって変換された装置電源供給部５１２からの電源が信号機能部５２１に給電されることになる。
【００５４】
一方、電源監視部５２３が電源の異常を検出して異常検出信号５７１を経路切替スイッチ回路５５１に供給すると、可動接片５６４が第１の切替接点５６２側に切り替わる。すると、この時点から監視盤電源５３１の電源が、装置電源供給部５１２からの電源に代わって信号機能部５２１に供給される。したがって、信号機能部５２１は装置電源供給部５１２あるいは電源変換部５２２で電源断といった電源の障害が発生しても、監視盤電源５３１を用いて信号処理を継続することができる。
【００５５】
この第２の実施の形態では、電源監視部５２３が信号盤５１１内での電源の断を検出しても、この時点から監視盤電源５３１の電源が信号機能部５２１に供給される。このため、電源監視部５２３は、経路切替スイッチ回路５５１が第１の切替接点５６２を選択する状態となったとき、給電に断が発生したことを示す監視フレームを監視盤５１３に送出する必要がない。第１の切替接点５６２に切り替えた後に電源の断が発生したときに、監視フレームを監視盤５１３に送出すればよい。
【００５６】
このように本発明の第２の実施の形態によれば、装置電源供給部５１２あるいは電源変換部５２２で電源断といった電源の障害が発生しても、信号機能部５２１に別系統で電源が供給される。したがって、信号機能部５２１の信号処理の信頼性を高めることができる。また、電源断が発生しても別系統で電源が供給されるので、この段階では監視盤５１３に電源断の通知を行う必要が無い。ただし、電源断があったこと、およびその要因を所定の時点で監視盤５１３に通知することで、装置電源供給部５１２あるいは電源変換部５２２における障害を復旧させることができる。
【００５７】
なお、第１の実施の形態およびその変形例では、監視用ルータ装置１０３を使用して電源の供給を行うようにしたが、これに限るものではない。すなわち、第２の実施の形態でも示したように自装置内あるいは他の装置から供給された電源を、通信データの伝送用のケーブルを用いて何らかの仲介装置を介して必要な箇所に伝送することで、電源の二重化を図るようにしてもよい。
【００５８】
また、実施の形態および変形例では、給電の切り替えに可動接片を用いたスイッチ回路を使用したが、半導体を使用して同様の回路を構成してもよいことは当然である。
【符号の説明】
【００５９】
１０、２０、３０、２００  電源断対処システム
１１、２１、３２  電源断検出手段
１２、２２、３３  監視手段
１３、２３、３４  電源監視手段
１４、２４、３５  監視手段側電源
１５、２５、３６  信号・電源兼用ケーブル
３１  データ処理部
４０、５０  電源断対処方法
４１、５１  電源断検出ステップ
４２  電源断通知ステップ
４３、５２  給電開始ステップ
２０１、２０１Ａ、２０１Ｂ、５０１  監視対象装置
２０２  監視装置
２０３  ルータ装置
２１１  ＬＡＮケーブル
２１２、２２１  監視用ポート
２２２、２２２Ａ、５１２  装置電源供給部
２２３、２２３Ａ、２２３Ｂ  電源監視部
３０１  通常電源
３０２  監視用電源
４０１  スイッチ回路
５１１  信号盤
５１３  監視盤
５２１  信号機能部
５２２  電源変換部
５２３  電源監視部
５３１  監視盤電源
５４１  装置内監視用ケーブル
５５１  経路切替スイッチ回路
【図１】
2011060189.tif 000003
【図２】
2011060189.tif 000004
【図３】
2011060189.tif 000005
【図４】
2011060189.tif 000006
【図５】
2011060189.tif 000007
【図６】
2011060189.tif 000008
【図７】
2011060189.tif 000009
【図８】
2011060189.tif 000010
【図９】
2011060189.tif 000011
【図１０】
2011060189.tif 000012
【図１１】
2011060189.tif 000013